【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
見開き状態の原稿を画像読取装置で読み取って得た画像データを補正する画像処理プログラムにおいて、
前記画像データ中の原稿の綴じ位置に対応する部分を特定する綴じ位置特定処理と、
前記綴じ位置特定処理で特定した綴じ位置に対応する部分に基づき前記画像データを分離する画像分離処理と、
前記画像分離処理で分離した各画像データに対して、それぞれ独立した補正を施す画像補正処理と
をコンピュータに実行させることを特徴とする画像処理プログラム。
【請求項２】
前記綴じ位置特定処理は、前記画像データの中心線の近傍の輝度に基づいて、該画像データ中の原稿の綴じ位置に対応する部分を検出することを特徴とする請求項１記載の画像処理プログラム。
【請求項３】
前記画像補正処理は、さらに前記画像データに対して傾き補正を施し、
前記綴じ位置特定処理は、前記画像補正処理により傾き補正が施された後の画像データから、該画像データ中の綴じ位置に対応する部分を特定する
ことを特徴とする請求項１記載の画像処理プログラム。
【請求項４】
前記画像補正処理は、前記画像分離処理で分離した各画像データに対して、傾き補正を少なくとも施すことを特徴とする請求項１記載の画像処理プログラム。
【請求項５】
前記画像補正処理は、
前記画像分離処理で分離した各画像データに対して、該分離した画像データを補正後の画像データの中央に配する位置補正を少なくとも施すことを特徴とする請求項１記載の画像処理プログラム。
【請求項６】
見開き状態の原稿を画像読取装置で読み取って得た画像データを補正する画像処理装置において、
画像データ中の原稿の綴じ位置に対応する部分を特定する綴じ位置特定手段と、
前記綴じ位置特定手段が特定した綴じ位置に対応する部分に基づき前記画像データを分離する画像分離手段と、
前記画像分離手段が分離した各画像データに対して、それぞれ独立した補正を施す画像補正手段と
を具備することを特徴とする画像処理装置。
【請求項７】
前記綴じ位置特定手段は、
前記画像データの中心線の近傍の輝度に基づいて、該画像データ中の綴じ位置に対応する部分を検出することを特徴とする請求項６記載の画像処理装置。
【請求項８】
前記画像補正手段は、
さらに前記画像データに対して傾き補正を施し、
前記綴じ位置特定手段は、
前記画像補正手段により傾き補正が施された後の画像データから、該画像データ中の綴じ位置に対応する部分を特定する
ことを特徴とする請求項６記載の画像処理装置。
【請求項９】
前記画像補正手段は、
前記画像分離手段が分離した各画像データに対して、傾き補正を少なくも施すことを特徴とする請求項６記載の画像処理装置。
【請求項１０】
前記画像補正手段は、
前記画像分離手段が分離した各画像データに対して、該分離した画像データを補正後の画像データの中央に配する位置補正を少なくとも施すことを特徴とする請求項６記載の画像処理装置。
【手続補正２】
【補正対象書類名】明細書
【補正対象項目名】発明の名称
【補正方法】変更
【補正の内容】
【発明の名称】画像処理プログラムおよび装置
【手続補正３】
【補正対象書類名】明細書
【補正対象項目名】０００１
【補正方法】変更
【補正の内容】
【０００１】
本発明は、画像処理プログラムおよび装置に関し、特に、見開き状態の原稿を画像読取装置で読み取って得た画像を補正する画像処理プログラムおよび装置に関する。
【手続補正４】
【補正対象書類名】明細書
【補正対象項目名】０００９
【補正方法】変更
【補正の内容】
【０００９】
そこで、本発明は、通常のスキャナ等で読み取られた画像に対しても適用可能で、かつ、見開き原稿を読み取って得た画像に適切な補正を行うことのできる画像処理プログラムおよび装置を提供することを目的とする。
【手続補正５】
【補正対象書類名】明細書
【補正対象項目名】００１０
【補正方法】変更
【補正の内容】
【００１０】
上述した目的を達成するため、請求項１の発明は、見開き状態の原稿を画像読取装置で読み取って得た画像データを補正する画像処理プログラムにおいて、前記画像データ中の原稿の綴じ位置に対応する部分を特定する綴じ位置特定処理と、前記綴じ位置特定処理で特定した綴じ位置に対応する部分に基づき前記画像データを分離する画像分離処理と、前記画像分離処理で分離した各画像データに対して、それぞれ独立した補正を施す画像補正処理とをコンピュータに実行させることを特徴とする。
【手続補正６】
【補正対象書類名】明細書
【補正対象項目名】００１１
【補正方法】変更
【補正の内容】
【００１１】
また、請求項２の発明は、請求項１の発明において、前記綴じ位置特定処理は、前記画像データの中心線の近傍の輝度に基づいて、該画像データ中の原稿の綴じ位置に対応する部分を検出することを特徴とする。
【手続補正７】
【補正対象書類名】明細書
【補正対象項目名】００１２
【補正方法】変更
【補正の内容】
【００１２】
また、請求項３の発明は、請求項１の発明において、前記画像補正処理は、さらに前記画像データに対して傾き補正を施し、前記綴じ位置特定処理は、前記画像補正処理により傾き補正が施された後の画像データから、該画像データ中の綴じ位置に対応する部分を特定することを特徴とする。
【手続補正８】
【補正対象書類名】明細書
【補正対象項目名】００１３
【補正方法】変更
【補正の内容】
【００１３】
また、請求項４の発明は、請求項１の発明において、前記画像補正処理は、前記画像分離処理で分離した各画像データに対して、傾き補正を少なくとも施すことを特徴とする。
【手続補正９】
【補正対象書類名】明細書
【補正対象項目名】００１４
【補正方法】変更
【補正の内容】
【００１４】
また、請求項５の発明は、請求項１の発明において、前記画像補正処理は、前記画像分離処理で分離した各画像データに対して、該分離した画像データを補正後の画像データの中央に配する位置補正を少なくとも施すことを特徴とする。
【手続補正１０】
【補正対象書類名】明細書
【補正対象項目名】００１５
【補正方法】変更
【補正の内容】
【００１５】
また、請求項６の発明は、見開き状態の原稿を画像読取装置で読み取って得た画像データを補正する画像処理装置において、画像データ中の原稿の綴じ位置に対応する部分を特定する綴じ位置特定手段と、前記綴じ位置特定手段が特定した綴じ位置に対応する部分に基づき前記画像データを分離する画像分離手段と、前記画像分離手段が分離した各画像データに対して、それぞれ独立した補正を施す画像補正手段とを具備することを特徴とする。
【手続補正１１】
【補正対象書類名】明細書
【補正対象項目名】００１６
【補正方法】変更
【補正の内容】
【００１６】
また、請求項７の発明は、請求項６の発明において、前記綴じ位置特定手段は、前記画像データの中心線の近傍の輝度に基づいて、該画像データ中の綴じ位置に対応する部分を検出することを特徴とする。
【手続補正１２】
【補正対象書類名】明細書
【補正対象項目名】００１７
【補正方法】変更
【補正の内容】
【００１７】
また、請求項８の発明は、請求項６の発明において、前記画像補正手段は、さらに前記画像データに対して傾き補正を施し、前記綴じ位置特定手段は、前記画像補正手段により傾き補正が施された後の画像データから、該画像データ中の綴じ位置に対応する部分を特定することを特徴とする。
【手続補正１３】
【補正対象書類名】明細書
【補正対象項目名】００１８
【補正方法】変更
【補正の内容】
【００１８】
また、請求項９の発明は、請求項６の発明において、前記画像補正手段は、前記画像分離手段が分離した各画像データに対して、傾き補正を少なくも施すことを特徴とする。
【手続補正１４】
【補正対象書類名】明細書
【補正対象項目名】００１９
【補正方法】変更
【補正の内容】
【００１９】
また、請求項１０の発明は、請求項６の発明において、前記画像補正手段は、前記画像分離手段が分離した各画像データに対して、該分離した画像データを補正後の画像データの中央に配する位置補正を少なくとも施すことを特徴とする。
【手続補正１５】
【補正対象書類名】明細書
【補正対象項目名】００２１
【補正方法】変更
【補正の内容】
【００２１】
以下、本発明に係る画像処理プログラムおよび装置の一実施の形態について、添付図面を参照して詳細に説明する。